(57)【特許請求の範囲】
【請求項１】
扁平形電池(2)が脱着自在に装着される電池ホルダーにおいて、プラスチック製の樹脂ケース(1)と、この樹脂ケース(1)に固定されている金属リング(7)と、樹脂ケース(1)に固定されて扁平形電池(2)の底面に電気接触する底面接触端子(6)とを備え、
金属リング(7)が、扁平形電池(2)の外周に沿う形状であって、扁平形電池(2)の外周に沿う部分が樹脂ケース(1)にインサートして固定されて樹脂ケース(1)を補強しており、さらに、金属リング(7)は扁平形電池(2)の外周に弾性的に押圧される弾性接触端子(5)を有し、この弾性接触端子(5)は、底面から上方に突出されて、扁平形電池(2)を脱着できるように定位置に保持し、さらに、この弾性接触端子(5)が扁平形電池(2)の外周に電気接触されるように構成し、
さらに、樹脂ケース(1)は、金属リング(7)と底面接触端子(6)の出力端子(8)を固定する固定部(1B)を対向する位置に有し、一方の固定部(1B)に、金属リング(7)先端の切欠部(7B)を埋設してなる扁平形電池用の電池ホルダー。
【請求項２】
弾性接触端子(5)が上端を内側に折曲して扁平形電池(2)を保持するように構成されてなる請求項１の扁平形電池用の電池ホルダー。
【請求項３】
出力端子(8)が、固定部(1B)の底面にインサートして固定されてなる請求項１の扁平形電池用の電池ホルダー。
【発明の詳細な説明】
【０００１】
【発明の属する技術分野】
本発明は、ボタン電池等の扁平形電池を脱着できるように装着する扁平形電池用の電池ホルダーに関する。
【０００２】
【従来の技術】
扁平形電池を脱着自在に装着する電池ホルダーとして、図１に示す構造のものが開発されている（実公平６−４４０２０号公報）。この図の電池ホルダーは、プラスチック製の樹脂ケース１を、扁平形電池を内側に保持できる形状に成形している。樹脂ケース１は、扁平形電池の周囲を囲む周壁３を有する。周壁３は、上面を開口して、扁平形電池を上から脱着できるようにしている。周壁３の上端には、装着した扁平形電池が抜けるのを阻止するための突出部４を、内側に突出して設けている。突出部４の下方に扁平形電池を押し込む状態で装着するために、突出部４と対向する面には、扁平形電池の側面を弾性的に押圧する弾性接触端子５をハ字状に設けている。さらに、扁平形電池の底面に接触する底面接触端子６は、樹脂ケース１の底面に固定される。
【０００３】
この構造の電池ホルダーは、図２に示すように、扁平形電池２を傾斜する姿勢で装着する。装着された扁平形電池２は、底面に底面接触端子６を接触させ、周囲に弾性接触端子５を接触させる。
【０００４】
【発明が解決しようとする課題】
図１に示す電池ホルダーは、扁平形電池を抜けないように装着できる。しかしながら、この構造の電池ホルダーは、全体が厚くなる欠点がある。樹脂ケースを薄くすると、充分な強度として、扁平形電池を確実に保持できなくなるからである。扁平形電池は、非常に薄くて小さい特長が生かされて、プリント基板等に固定されてメモリのバックアップ等の電源に多く使用される。小さい扁平形電池の特長を生かすために、電池ホルダーを小さくすること、とくに薄くすることが極めて大切である。さらに、メモリのバックアップ用の扁平形電池を装着する電池ホルダーは、衝撃等による一瞬の接触不良が極めて困った状態をまねく。それは、ほとんど瞬間の接触不良で、メモリがリセットされてしまうからである。このため、扁平形電池の電池ホルダーは、全体を薄くすることが大切であるが、さらに、接触不良を極減することも大切である。電池ホルダーを小さくすることと、接触不良を少なくすることは、互いに相反する特性であって、両特性を満足するのは極めて難しい。それは、電池ホルダーを小さくすると、扁平形電池を確実に保持するのが難しくなるからである。
【０００５】
さらに、扁平形電池を脱着自在に装着する電池ホルダーは、扁平形電池を簡単に装着できることも大切である。とくに、扁平形電池を自動機で装着する場合、扁平形電池を簡単に装着できることが大切である。図１に示す電池ホルダーは、扁平形電池を特定の姿勢で装着する必要があるので、自動機で装着するのが難しくなる欠点がある。
【０００６】
本発明は、このような従来の欠点を解消すると共に、扁平形電池用の電池ホルダーとして大切な特性を満足することを目的に開発されたものである。本発明の重要な目的は、扁平形電池を確実に保持して、しかも、全体を極めて薄くコンパクトにできる電池ホルダーを提供することにある。
【０００７】
また、本発明の他の大切な目的は、接触不良を極減して安定して電気接続できる扁平形電池用の電池ホルダーを提供することにある。
【０００８】
さらにまた、本発明の他の大切な目的は、扁平形電池を簡単に脱着して自動装填に便利な電池ホルダーを提供することにある。
【０００９】
【課題を解決するための手段】
本発明の扁平形電池用の電池ホルダーは、扁平形電池２を脱着自在に装着するもので、プラスチック製の樹脂ケース１と、この樹脂ケース１に固定されている金属リング７と、樹脂ケース１に固定されて扁平形電池２の底面に電気接触する底面接触端子６とを備える。
【００１０】
金属リング７は、扁平形電池２の外周に沿う形状であって、扁平形電池２の外周に沿う部分を樹脂ケース１にインサートして固定して樹脂ケース１を補強している。さらに、金属リング７は、扁平形電池２の外周に弾性的に押圧される弾性接触端子５を有する。弾性接触端子５は、底面から上方に突出される形状で、扁平形電池２を脱着できるように定位置に保持すると共に、扁平形電池２の外周に電気接触されている。
【００１１】
【００１２】
また、本発明の電池ホルダーの樹脂ケース１は、金属リング７と底面接触端子６の出力端子８を固定する固定部１Ｂを対向する位置に有する。一方の固定部１Ｂには、金属リング７先端の切欠部７Ｂを埋設している。
【００１３】
さらにまた、本発明の請求項２の電池ホルダーは、弾性接触端子５の上端を内側に折曲して、扁平形電池２を保持するように構成している。
【００１４】
【発明の実施の形態】
以下、本発明の実施例を図面に基づいて説明する。ただし、以下に示す実施例は、本発明の技術思想を具体化するための電池ホルダーを例示するものであって、本発明は電池ホルダーを下記のものに特定しない。
【００１５】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１６】
図３と図４に示す扁平形電池用の電池ホルダーは、プラスチック製の樹脂ケース１と、この樹脂ケース１に固定されている金属リング７と、樹脂ケース１に固定されて扁平形電池２の底面に電気接触する底面接触端子６とを備える。金属リング７と底面接触端子６は、樹脂ケース１を成形するときにインサートして固定される。ただ、底面接触端子は、成形された樹脂ケースに接着して固定することもできる。
【００１７】
樹脂ケース１は、中心を開口しているリング状に成形されたリング部１Ａと、このリング部１Ａの対向する位置に設けられた固定部１Ｂとからなっている。リング部１Ａは、扁平形電池２の外形よりも多少大きい八角形で、内側に円形の大きな穴を開口している。リング部１Ａは、扁平形電池２の下面に位置するので、できる限り薄く、たとえば、約１ｍｍの厚さに成形されている。固定部１Ｂは、扁平形電池２の厚さよりも多少高い四角柱状で、金属リング７と底面接触端子６の出力端子８をインサートして成形している。さらに、樹脂ケース１は、プリント基板９等の定位置に固定するために、図５に示すように、下面に突出してふたつの凸部１０を設けている。
【００１８】
金属リング７は、弾性変形できる金属板をプレス成形して製作される。金属リング７は、図６に示すように、出力端子８に、２分岐した分岐部７Ａを連結した形状であって、分岐部７Ａを、樹脂ケース１のリング部１Ａに沿う形状、すなわち、扁平形電池の外周に沿う形状に成形している。扁平形電池の外周に沿う部分は、樹脂ケース１のリング部１Ａに沿うように、八角形に沿う形状に成形されて、リング部１Ａにインサートして固定されている。分岐部７Ａの先端は、連結しないで切欠部７Ｂとし、切欠部７Ｂを樹脂ケース１の固定部１Ｂにインサートして固定している。この構造の金属リング７は、底面接触端子６との短絡を有効に防止できる。金属リング７の切欠部７Ｂが、金属リング７を底面接触端子６から離すからである。さらに、この構造の金属リング７は、分岐部７Ａを強靭な構造として樹脂ケース１に固定できる。切欠部７Ｂを樹脂ケース１に埋設して、固定部１Ｂで切欠部７Ｂを連結できるからである。
【００１９】
金属リング７は、樹脂ケース１にインサートされた部分から上方に突出して、対角線上に位置して、４カ所に弾性接触端子５を設けている。弾性接触端子５は、扁平形電池２の外周を弾性的に押圧して、扁平形電池２を脱着できるように保持する。さらに、弾性接触端子５は、扁平形電池２の外周に押圧されて、接触不良が起こらないように、確実に電気的に接触される。弾性接触端子５は、その上端を内側に折曲して折曲片５Ａとしている。折曲片５Ａは、弾性接触端子５の内側に装着された扁平形電池２の上面を引っかけて、扁平形電池２が抜けるのを阻止する。さらに、底面接触端子６で押し上げられる扁平形電池２に、弾性接触端子５を確実に電気接続させる。
【００２０】
底面接触端子６は、弾性変形できる金属板で、樹脂ケース１の底面にインサートして固定される。底面接触端子６は、図６と図７に示すように、固定部１Ｂの底面から、金属リング７の切欠部７Ｂを通過して、樹脂ケース１の中心に延長して固定される。底面接触端子６は、図５に示すように、樹脂ケース１のリング部１Ａの内側で上方に折曲して、弾性接触端子５に保持される扁平形電池の底面を弾性的に押圧して電気的に接触する。
【００２１】
底面接触端子６と金属リング７の出力端子８は、対向して配設される固定部１Ｂの底面に離してインサートして固定される。出力端子８は、固定部１Ｂから突出する部分がプリント基板９等に半田付けして固定される。
【００２２】
この構造の電池ホルダーは、上から下に扁平形電池２を挿入して、定位置に装着できる。このとき、弾性接触端子５が弾性変形して、上端が広げられる。弾性接触端子５の内側に装着された扁平形電池２は、底面が底面接触端子６で押し上げられ、外周が弾性接触端子５に押圧されて、電気接続される。押し上げられる扁平形電池２は、弾性接触端子５の折曲片５Ａに引っかけられて、抜けないように保持される。扁平形電池２を取り出すときは、扁平形電池２の下面にマイナスドライバー等を入れて、押し上げ、あるいは、扁平形電池２の底面を押し上げて、簡単に取り出しできる。
【００２３】
【発明の効果】
本発明の扁平形電池用の電池ホルダーは、扁平形電池を確実に保持して、しかも、全体を極めて薄くコンパクトにできる特長がある。それは、本発明の電池ホルダーが、扁平形電池の外周に沿う形状の金属リングを樹脂ケースに固定して、金属リングで樹脂ケースを補強すると共に、樹脂ケースで扁平形電池を保持するのに代わって、金属リングの弾性接触端子で扁平形電池を保持するからである。弾性接触端子は、プラスチック製の樹脂ケースに比較して相当に薄くして、強靭にできる。さらに、弾性接触端子を設けてなる金属リングで樹脂ケースを補強するので、樹脂ケース自体も相当に薄くできる。
【００２４】
さらに、本発明の電池ホルダーは、接触不良を極減して、安定して扁平形電池に電気接続できる特長がある。それは、扁平形電池の周囲に配設する金属リングに、上方に突出する弾性接触端子を設け、この弾性接触端子で扁平形電池を抱くように保持して、弾性接触端子を弾性的に押圧して、扁平形電池に電気接続するからである。この構造で、弾性接触端子を扁平形電池に押圧する電池ホルダーは、衝撃を受けたときに、瞬間的に発生する接触不良をも極減できる特長がある。それは、扁平形電池の周囲に弾性接触端子を配設できるからである。周囲に配設される弾性接触端子は、扁平形電池が衝撃等でどの方向に移動しても、いずれかの弾性接触端子が扁平形電池に接触して、接触不良を極減する。この特性は、コンピュータ用メモリのバックアップ等に多用される扁平形電池の電池ホルダーにとって極めて優れた特長となる。
【００２５】
さらにまた、本発明の電池ホルダーは、装着した扁平形電池を確実に保持できるにもかかわらず、扁平形電池を簡単に脱着して、自動装填等に便利に使用できる特長がある。それは、本発明の電池ホルダーが、扁平形電池の周囲に配設される金属リングに設けた弾性接触端子で扁平形電池を保持し、この弾性接触端子を弾性変形させて、扁平形電池を脱着するからである。このように、弾性接触端子で保持される扁平形電池は、挿入する方向等が特定されず、水平姿勢で押し込んで、定位置に装着される。
【００２６】
さらに、本発明の電池ホルダーは、金属リングをインサートして樹脂ケースに固定しているので、金属リングを確実に樹脂ケースに固定して、しかも、安価に多量生産できる特長がある。
【００２７】
また、本発明の電池ホルダーは、金属リングに切欠部を設け、切欠部を樹脂ケースの固定部に埋設しているので、切欠部のある金属リングを確実に樹脂ケースに固定できる特長がある。さらに、金属リングの切欠部に、底面接触端子を配設して、底面接触端子と弾性接触端子との短絡を有効に防止できる特長も実現できる。
【００２８】
さらにまた、本発明の請求項２の電池ホルダーは、弾性接触端子の上端を内側に折曲して扁平形電池を保持するので、簡単な構造で扁平形電池を確実に保持できると共に、底面接触端子で押し上げられる扁平形電池に、弾性接触端子を確実に電気接続できる特長も実現する。
【図面の簡単な説明】
【図１】  従来の扁平形電池用の電池ホルダーの斜視図
【図２】  図１に示す電池ホルダーに扁平形電池を装着する状態を示す断面図
【図３】  本発明の実施例の扁平形電池用の電池ホルダーの斜視図
【図４】  図３に示す電池ホルダーをプリント基板に固定して扁平形電池を装着した状態を示す斜視図
【図５】  図３に示す電池ホルダーの中央縦断面図
【図６】  図３に示す電池ホルダーの平面図
【図７】  図３に示す電池ホルダーの底面図
【符号の説明】
１…樹脂ケース          １Ａ…リング部        １Ｂ…固定部
２…扁平形電池
３…周壁
４…突出部
５…弾性接触端子        ５Ａ…折曲片
６…底面接触端子
７…金属リング          ７Ａ…分岐部          ７Ｂ…切欠部
８…出力端子
９…プリント基板
１０…凸部
【図１】
0003670792.tif 000002
【図２】
0003670792.tif 000003
【図３】
0003670792.tif 000004
【図４】
0003670792.tif 000005
【図５】
0003670792.tif 000006
【図６】
0003670792.tif 000007
【図７】
0003670792.tif 000008